(57)【特許請求の範囲】
【請求項１】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットの取付面及び／又はソケットの表面の少なくとも一部に吸遮音材が貼り付けられ、
これにより、ソケットに流入する燃料の脈動圧と衝撃波をアブゾーブ面の撓みで、異音を吸遮音材で低減させるようになっていることを特徴とするフユーエルデリバリパイプ。
【請求項２】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットの取付面が制振部材で作られており、
これにより、ソケットに流入する燃料の脈動圧と衝撃波をアブゾーブ面の撓みで、異音を制振部材で低減させるようになっていることを特徴とするフユーエルデリバリパイプ。
【請求項３】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットの取付面の少なくとも一部に制振部材が貼り付けられており、
これにより、ソケットに流入する燃料の脈動圧と衝撃波をアブゾーブ面の撓みで、異音を制振部材で低減させるようになっていることを特徴とするフユーエルデリバリパイプ。
【請求項４】
前記制振部材は制振性樹脂もしくは制振塗料である請求項３記載のフユーエルデリバリパイプ。
【請求項５】
前記制振部材は金属部材である請求項３記載のフユーエルデリバリパイプ。
【請求項６】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットが取り付けられている周囲の面が蛇腹形状に加工されて振動伝達距離が長くなっており、
これにより、ソケットに流入する燃料の脈動圧と衝撃波をアブゾーブ面の撓みで、異音を蛇腹形状部分で低減させるようになっていることを特徴とするフユーエルデリバリパイプ。
【請求項７】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットが制振部材で作られており、
これにより、ソケットに流入する燃料の脈動圧と衝撃波をアブゾーブ面の撓みで、異音を制振部材で低減させるようになっていることを特徴とするフユーエルデリバリパイプ。
【請求項８】
直線状に延びる燃料通路を内部に有する連通管と、この連通管の端部又は側部に固定された燃料導入管と、前記連通管に交差して突設され一部が前記燃料通路に連通し開放端部が燃料噴射ノズル先端を受け入れる複数のソケットとを備えて成るフユーエルデリバリパイプにおいて、
前記連通管の外壁面が平坦状又は円弧状で可撓性のアブゾーブ面を包含し、
前記ソケットの表面の少なくとも一部に制振部材が貼り付けられており、
これにより、ソケットに流入する燃料の脈動圧と衝撃波をアブゾーブ面の撓みで、異音を制振部材で低減させるようになっていることを特徴とするフユーエルデリバリパイプ。
【発明の詳細な説明】
【０００１】
【発明の属する技術分野】
本発明は、電子燃料噴射式自動車用エンジンの燃料加圧ポンプから送給された燃料をエンジンの各吸気通路あるいは気筒内に直接噴射する燃料インジェクタ（噴射ノズル）を介して供給するためのフユーエルデリバリパイプの改良に関し、特に燃料通路を有する連通管の断面構造及び連通管の外部構造に係るものである。
【０００２】
【従来の技術】
フユーエルデリバリパイプは、ガソリンエンジンの電子燃料噴射システムに広く使用されており、燃料通路を有する連通管から複数個の円筒状ソケットを介して燃料インジェクタに燃料を送った後、燃料タンク側へと戻るための戻り通路を有するタイプと、戻り通路を持たないタイプ（リターンレス）とがある。最近は高温の戻り燃料による蒸散ガス低減対策やコストダウンのため戻り通路を持たないタイプが増加してきたが、それに伴い、インジェクタから噴射させるために弁を開閉させるスプールの往復運動に起因する反射波（衝撃波）や脈動圧による燃料噴射脈動によって、フユーエルデリバリパイプや関連部品が振動し耳ざわりな異音を発するという問題が発生していた。加えて、インジェクタのスプールの着座に伴う衝撃による異音も発生していた。
燃料を直接燃焼室内に噴射するいわゆる直噴型のエンジンでは、高圧のサプライポンプが設けられるため、その大きな脈動を吸収するためにパルセーションダンパが設けられており、通常の燃料噴射型（ＭＰＩ）エンジンの場合においても一部で採用されているが、スペースの制約とコスト高から採用するのは容易でない。
【０００３】
図５は、デリバリパイプ１，２の箱形断面の一部をアブゾーブ面にして振動を吸収するようにした従来例を表している。図５Ａでは燃料噴射弁に接続されるソケット３に対向する上面５５が薄板で作られてアブゾーブ面を提供しており、図５Ｂでは側面５６が薄板で作られてアブゾーブ面を提供している。
しかしながら、噴射脈動を充分に吸収できるように薄板の厚さを小さくしたり薄板の幅を大きくしたりすると、強度が低下して内圧による疲労変形を生じるおそれがある。
【０００４】
特開平１０−３３１７４３号「内燃機関の燃料分配管構造」では、フユーエルデリバリパイプの剛性を高めることで、脈動による大きな放射音が発生するのを抑制している。
特開昭６０−２４０８６７号「内燃機関用燃料噴射装置の燃料供給導管」は、フユーエルデリバリパイプを改良するため、燃料供給導管の壁の少なくとも１つを燃料の脈動を減衰させるように弾性的に構成している。
同様に、特開平８−３２６６２２号「燃料圧力脈動減衰装置」や特開平１１−３７３８０号「デリバリパイプ」にも、フユーエルデリバリパイプを改良して脈動を抑制させる装置が示されている。
【０００５】
【発明が解決しようとする課題】
本発明の目的は、燃料インジェクタの開閉に伴って発生する衝撃波や脈動圧を低減させると共に異音の発生や各種不具合の発生を防止することが可能なフユーエルデリバリパイプの構造を提供することにある。
【０００６】
【課題を解決するための手段】
本発明の前述した課題は、連通管の外壁部が平坦状又は円弧状で可撓性のアブゾーブ面を包含しているフユーエルデリバリパイプに、以下のような特徴を付加することによって達成される。
（Ａ）ソケット取付面及び／又はソケットの表面に吸遮音材を貼り付ける
（Ｂ）ソケット取付面を制振部材で構成する
（Ｃ）ソケット取付面に制振部材を貼り付ける
（Ｄ）制振部材を制振性樹脂もしくは制振塗料とする
（Ｅ）制振部材を金属部材とする
（Ｆ）ソケットの周囲の面を蛇腹形状に加工する
（Ｇ）ソケットを制振部材で構成する
（Ｈ）ソケットの表面に制振部材を貼り付ける
【０００７】
【作用】
かかる構造を採用することにより、アブゾーブ面の撓みによる振動吸収効果と相まって、異音抑制効果が高められる。すなわち、前述した特徴に基づき、
（Ａ）吸遮音材が振動伝達特性を下げることにより、インジェクタで発生する金属音が伝達されにくくなり、かつ音の放射特性が低いので放射音が低減されて異音の発生が防止できる
（Ｂ，Ｃ，Ｄ，Ｅ）制振部材がソケット取付面の振動を抑制し異音の発生を減少させる
（Ｆ）ソケットの周囲の蛇腹形状により振動が抑制され異音発生が防止される
（Ｇ，Ｈ）制振部材がソケットの振動を抑制し異音の発生を減少させる。
【０００８】
アブゾーブ面による脈動吸収の理論的な根拠としては、燃料インジェクタの開閉時に発生する衝撃波が、ソケットの燃料流入口へと流入あるいは瞬間的な逆流によって流出する際に、可撓性のアブゾーブ面の撓みによって衝撃や脈動が吸収されることと、バネ定数の比較的小さい薄肉の部材が撓んで変形することにより容積が変化し燃料の圧力変動を吸収するものと理解される。
【０００９】
本発明において、アブゾーブ面の肉厚は他の面の肉厚と同じか又はそれ以下であることが望ましい。また、アブゾーブ面を構成する円弧面の曲率半径はアブゾーブ面の肉厚の２倍よりも大きいことが望ましい。
【００１０】
本発明において、連通管の外壁部やアブゾーブ面の板厚・縦横の比率・ソケットの燃料流入口と対向する面との隙間・吸遮音材・制振部材の材質や強度などは、特にエンジンのアイドリング時において振動や脈動が最も小さい値になるように実験や解析によって定めることができる。
本発明は基本的に連通管の断面構造及び連通管の外部構造に係るものであるから、ブラケットの取り付け寸法を維持することにより、従来のフユーエルデリバリパイプに対して互換性を維持することができる。本発明の他の特徴及び利点は、添付図面の実施例を参照した以下の記載により明らかとなろう。
【００１１】
【発明の実施の形態】
図１Ａ，Ｂ及び図２Ａ，Ｂは本発明の第１の態様によるフユーエルデリバリパイプ１０を表しており、図１Ａは全体の斜視図、図１Ｂはソケット中央での縦断面図、図２Ａは連通管部分での横断面図、図２Ｂはソケット部分での横断面図である。
クランク軸方向に沿って延伸する連通管１１の底面には、噴射ノズルの先端を受け入れるためのソケット３が、例えば４気筒エンジンであれば４個が所定の間隔と角度で取り付けられている。連通管１１には、さらにフユーエルデリバリパイプ１０をエンジン本体に取り付けるための厚肉で堅固なブラケット４が２個横方向に架け渡されている。燃料は矢印の方向へと流れ、ソケット３から燃料インジェクタ６を介して各吸気通路あるいは気筒内へ直接噴射される。
【００１２】
内部に燃料通路１２を有する連通管１１の端部にはコネクタ（図示せず）を介して燃料導入管５がろう付けや溶接で固定されている。連通管１１の端部には燃料タンクに戻るための戻り管を設けることができるが、リターンレスタイプのフユーエルデリバリパイプでは、戻り管は設けられていない。
【００１３】
図２Ａ，Ｂに示すように、この例では連通管１１は円形断面のステンレス鋼パイプをつぶして形成した偏平長方形断面に作られている。連通管１１の縦横寸法は、例えば板厚１．２ｍｍの平板で、高さを６．４ｍｍ、幅を３２ｍｍ程度に設定することができる。
本発明に従い、偏平長方形断面の連通管１１の外壁部でソケット取付面１１ｂに対向する上面１１ａが可撓性のアブゾーブ面を提供し、このアブゾーブ面はソケット３の燃料流入口１３に対向しているため、燃料噴射の際の振動や衝撃を吸収する働きをする。
さらに、本発明の特徴に従い、ソケット取付面１１ｂにソケットの隙間を埋めるようにして５個の樹脂性の吸遮音材２１〜２５が貼り付けられている。さらに図２Ｂに示すように、ソケット３の外周にも吸遮音材２６が貼り付けられている。なお、貼り付ける代わりにスプレーで吹き付けてもよい。吸遮音材の例としては、ウレタンフォーム、ゴム、ＰＰ，ＰＡなどの樹脂、フェルトなどを使用することができる。かくして、ソケットに流入する燃料の脈動圧と衝撃波がアブゾーブ面の撓みによって低減され、異音の振動伝達特性が吸遮音材によって低下させられて異音の伝播が減少させられ、かつ吸遮音材２６の低い放射特性によって放射音も減少することになる。
【００１４】
図３Ａ〜Ｃは他の実施例を表している。本発明の他の特徴に従い、図３Ａではアブゾーブ面３１ａが薄板で作られ、それと対向するソケット取付面３１ｂが振動抑制効果のある制振部材３２で作られている。図３Ｂではソケット取付け面３１ｂに制振部材３３が貼り付けられるか、あるいは制振塗料３３が塗布されているか、あるいは金属部材３３が溶接その他の方法で固着されている。
図３Ｃではソケット取付面３１ｂに制振部材３４，３５を貼り付けると共にソケット３６の外周に制振部材３８を貼り付けている。なお、ソケット３６を制振部材で構成することもできる。
このようにして制振部材を用いればソケット取付面の振動を抑止し異音の発生を防止することが可能になる。かくして、ソケットに流入する燃料の脈動圧と衝撃波がアブゾーブ面の撓みによって低減され、異音が制振部材によって低減させられる。
【００１５】
図４Ａ，Ｂはさらに他の実施例を表している。本発明の他の特徴に従い、ソケット３が取り付けられている周囲の面が蛇腹形状４１に加工されて、騒音域の周波数の振動の伝達距離が長くなっており、ソケットに流入する燃料の脈動圧と衝撃波をアブゾーブ面の撓みで、異音を蛇腹形状部分で低減させるようになっている。
【００１６】
【発明の効果】
以上詳細に説明した如く、本発明によれば、燃料インジェクタの開閉時に発生するスプールの着座に伴う衝撃波・ソケットの燃料流入口へと流入あるいは瞬間的な逆流によって流出する際に発生する脈動圧などがアブゾーブ面の撓みによって低減させられ、このときにソケット取付面及びソケットから放射される異音が吸遮音材・制振部材・蛇腹形状の存在などによってその伝達・伝播・放射が抑制されることになる。かくして、インジェクタの動作に起因する衝撃波や脈動圧を低減させると共に異音の発生や各種不具合の発生を防止することができ、その技術的効果には極めて顕著なものがある。
【図面の簡単な説明】
【図１】本発明によるフユーエルデリバリパイプの全体を表わす斜視図とソケット部分の縦断面図である。
【図２】図１のデリバリパイプの連通管部分とソケット部分の断面図である。
【図３】連通管及びソケットの断面図である。
【図４】ソケット周囲の蛇腹形状を表す断面図である。
【図５】従来のデリバリパイプにおけるアブゾーブ面の断面図である。
【符号の説明】
３，３６  ソケット
５  燃料導入管
１０  フユーエルデリバリパイプ
１１  連通管
１１ａ，３１ａ  アブゾーブ面
１１ｂ，３１ｂ  ソケット取付面
１２  燃料通路
１３  燃料流入口
２１〜２６  吸遮音材
３２〜３５  制振部材
３８  制振部材
４１  蛇腹形状
【図１】
0003997512.tif 000002
【図２】
0003997512.tif 000003
【図３】
0003997512.tif 000004
【図４】
0003997512.tif 000005
【図５】
0003997512.tif 000006